(57)【要約】【課題】    前部打ち合わせ部に面ファスナーを取り付けワンタッチで開閉でき簡易に着脱できる。打ち合わせ部を係止すると美麗な形態になりファッション性に富む。【解決手段】  ストール主体１の左右両側部が交差する前部打ち合わせ部に、幅方向に縮むギャザー２，２で絞り部３，３を設ける。絞り部３，３に面ファスナー４，４を取り付ける。【選択図】        図２
0003102379.tif 000002
【実用新案登録請求の範囲】
【請求項１】
ストール主体の左右両側部が交差する前部打ち合わせ部に、幅方向に縮むギャザーで絞り部を設け、その絞り部に面ファスナーを取り付けたことを特徴とするストール。
【請求項２】
面ファスナーの表面にコサージュを取り付けてある請求項1に記載のストール。
【考案の詳細な説明】
【技術分野】
【０００１】
本考案は、防寒および装飾を目的として着用するストールに関するもので、さらに詳しくは、主として、フォーマルウエアーや肩部、胸部を露出する服を着用した時に好適な上半身にかけるストールに関するものである。
【背景技術】
【０００２】
従来から、フォーマルウエアーや肩部、胸部を露出する服を着用した時に、薄地で柔らかい生地からなるストールを上半身にかけることにより、寒さを防ぐとともに華やかさを出してファッション性を高めてお洒落することが行われている。
【０００３】
上記のストールを上半身にかけておくだけでは、風あるいは歩行時の身体の揺れによってズレ落ちたりするため、胸前にくるストールの左右両端部を結んだり、止めリングに通したり、クリップ式の留め具や止めピンなどで係止して固定することが行われている。
【０００４】
しかしながら、ストールの左右両端部を結んで結び目をつくるのは面倒で手間がかかると共に、美しい結び目にするのには熟練を要し一般の人にとっては困難であった。また、止めリングに通す場合は、リングの径が小径であればストールの左右両端部を挿通できないことがあり、逆に大径になると挟む機能を有しないため抜け落ちてしまう問題点があった。さらに、クリップ式やピンなどによる止める方法は、薄い生地のストールでは生地に孔が開いたり、糸つりなど起こして損傷することがあり適していなかった。
【０００５】
上記のような問題点を解消するものとして、貴金属、宝石、天然石、人工石、ガラス、プラスチック、材木などを素材とする装飾体の背面にゴム紐などの伸縮性緊締部材を設け、布地の材質や大きさ、厚み、嵩高さなどによっても左右されることなく伸縮し、その伸縮力による弾力性でストールを締め付けて充分な摩擦把持力によってそれらのズレを防止し、かつ装飾体をストールの所望の位置に係止することができる止め具が提案されている。（例えば、特許文献１，２）
【０００６】
【特許文献１】登録新案第３００９４２８号
【特許文献２】実開平７−９１１１公報
【考案の開示】
【考案が解決しようとする課題】
【０００７】
しかしながら、上記のゴム紐などの緊締部材による取り付けは、ストールの左右両端部を挿通する環状部が小さくなっていることから、環状部を指で広げながら両端部を挿通しなければならないため挿通が困難であった。また、取り外す時には、ストールに喰いこんだゴム紐などの緊締部材を拡げて外さなければならず、着脱に時間がかかった。
【０００８】
本考案は、上記のような問題点を解決することを課題として開発されたもので、前部打ち合わせ部に面ファスナーを取り付けワンタッチで開閉でき簡易に着脱できると共に、打ち合わせ部を美麗な形態にしたファッション性に富むおしゃれなストールを提供することを目的とするものである。
【課題を解決するための手段】
【０００９】
上記の課題を解決し、その目的を達成する手段として、本考案は、ストール主体の左右両側部を交差する前部打ち合わせ部に、幅方向に縮むギャザーで絞り部を設け、その絞り部に面ファスナーを取り付けたことを特徴とするストールを開発し、採用した。
【００１０】
また、上記のように構成したストールにおいて、面ファスナーの表面にコサージュを取り付けてあるストールを開発し、採用した。
【考案の効果】
【００１１】
本考案の請求項１記載の考案は、着用時に胸前にくる前部打ち合わせ部に面ファスナーを設けてあるから、ワンタッチで開閉自在となり簡易に着脱でき、着用した時にはズレ落ちたりすることがない。また、前部打ち合わせ部に幅方向に縮むギャザーで絞り部を設けてあるから、柔らかく華やかな感じを与え、結び目のような形の良い形態にすることができると共に、着用するたびに一定形状の美麗な形態を簡単に作り出すことができる。
【００１２】
また、請求項２に記載の考案は、面ファスナーの表面にコサージュを設けてあるから、請求項１に記載の効果に加えて、胸前のワンポイント的なアクセサリーとして機能し装飾効果が一段と向上するものである。
【考案を実施するための最良の形態】
【００１３】
以下に、本考案の実施の形態を添付図面に基づいて説明すれば、図１はストールの内面側を表とした展開平面図、図２は左右両側部を折り返して前部打ち合わせ部とした正面図、図３は前部打ち合わせ部を係止した正面図であり、１はシルク、ナイロン、ポリエステル、レーヨンなどの薄地で柔らかい生地からなるストール主体で、略上半身を包むことができる程度の長さと幅を有する大きさのものである。
【００１４】
このストール主体１の左右両側部に幅方向に縮める複数のギャザー２，２によって絞り部３、３が形成されている。その絞り部３，３の位置に面ファスナー４，４を取り付けてある。この面ファスナー４，４は、右身頃５となる内側にフックを持つ雄面ファスナー４ａを取り付け、左身頃６となる外側にループを持つ雌面ファスナー４ｂを取り付けてある。７は全周縁をほつれ防止処理を施した波形の端縁部、８はプラスチックやガラスなどの装飾玉である。
【００１５】
このように構成した本考案の使用状態を作用、効果と共に説明すると、着用者は、従来と同様にストール主体１を肩から上半身にかけ、図２に示すように、左右両側部を折り返す。そして胸前にくる右身頃５と左身頃６の絞り部３，３に取り付けた雄、雌面ファスナー４ａ，４ｂを係止することにより固定されてズレ落ちることがなくなる。雄、雌面ファスナー４ａ，４ｂの取り付け箇所に複数本のギャザー２，２によって絞り部４，４を形成してあるから、係止した時にあたかもリボンを結んだように見せることができる。また、端縁部７は縁処理が施された波形に形成されているから、ほつれることがなく、全体的に軟らかな感じを与えて外観が優美になる。
【００１６】
次に、図４に示すのは、本考案の第２実施の形態を示すものであり、上記第１実施の形態と相違しているのは、面ファスナー４の表面にコサージュ９を取り付けた点のみである。このコサージュ９は、ストール主体１と同じ生地で同色のものでも良いし、ストール主体１と違った材質・色調のものでもよい。その他の構成は第１の実施の形態と同一であるから、同一部分には同一符号が付してある。
【００１７】
この第２実施の形態においては、コサージュ９を付けることにより、面ファスナー４が隠れると共に、胸前のワンポイント的なアクセサリーとして機能し、一段と装飾効果を高めることができるものである。
【００１８】
以上、本考案の主要な実施例について説明したが、本考案はこれらの実施例に限定されるものではなく、本考案の目的を達成でき、かつ考案の要旨を逸脱しない範囲内で種々設計変更が可能であり、それらも全て本考案の範囲内に包含されるものである。
【産業上の利用可能性】
【００１９】
本考案はストールだけでなく、ショールやスカーフなどにでも利用できるものである。
【図面の簡単な説明】
【００２０】
【図１】本考案のストールの内面側を表とした展開平面図である。
【図２】一方の打ち合わせ部を捲ったストールの正面図である。
【図３】打ち合わせ部を係止したストールの正面図である。
【図４】本考案の第２実施のストールの正面図である。
【符号の説明】
【００２１】
１  ストール主体
２  ギャザー
３  絞り部
４  面ファスナー
９  コサージュ  
【図１】
0003102379.tif 000003
【図２】
0003102379.tif 000004
【図３】
0003102379.tif 000005
【図４】
0003102379.tif 000006